(57)【要約】【課題】表面仕上げされている構造体の水平部及び隅角部の目地に生える草を、地際付近から安全にかつ効率的に取り除くことができる目地用草刈機を提供する。【解決手段】本考案に係る目地用草刈機は、金属製線材を複数撚って形成した棒材の複数が、基材の取付面に、前記取付面の法線に対し傾斜した起立状態で配置され、前記基材側から前記棒材の端部側へ向って拡径するブラシ部を備える。そして、前記ブラシ部を前記基材が上側に配置される状態で水平支持し、鉛直方向を回転軸の軸心方向として回転させる。【選択図】  図１
2012191856.tif 000002
【特許請求の範囲】
【請求項１】
金属製線材を複数撚って形成した棒材の複数が、基材の取付面に、前記取付面の法線に対し傾斜した起立状態で配置され、前記基材側から前記棒材の端部側へ向って拡径するブラシ部を備え、前記ブラシ部を前記基材が上側に配置される状態で水平支持し、鉛直方向を回転軸の軸心方向として回転させることを特徴とする目地用草刈機。
【請求項２】
前記金属製線材の直径が０．５〜１．０ｍｍ、前記棒材の直径が１０〜２０ｍｍで長さが６０〜８０ｍｍである請求項１に記載の目地用草刈機。
【請求項３】
前記ブラシ部は、前記基材側の直径が６５ｍｍ、前記棒材の端部側の直径が１２０ｍｍである請求項１又は２に記載の目地用草刈機。
【発明の詳細な説明】
【技術分野】
【０００１】
本考案は、コンクリート、ブロック、タイルなどで表面仕上げされている道路や歩道などの構造体の目地に生える草を取り除くための目地用草刈機に関するものである。
【背景技術】
【０００２】
従来の草刈機として、円盤の周縁に鋭利な刃や多数の線材を設けた回転刃を使用するものや、相互に異なる方向に移動する一組の刃で構成される鋏構造を使用したものが広く知られている。しかしながら、これら回転刃や鋏構造を刈刃として使用し、鉛直軸周りに回転させる草刈機では、刈刃を地表面と平行に保つことが困難なため、根元付近から刈り取ろうとしても刈残しが発生し、結果的に美観を損ねるものであった。また、刈刃が地面の石に触れると、その石を跳ね上げたり、刈刃を欠損したりするなどの問題も引き起こすため、草を地際付近から安全に刈ることが難しかった。
【０００３】
そこで、草を地際付近から除去する際の安全性を向上させることができる草刈機が提案されており、例えば、特開２００７−２８９５４号公報には、基体から延出するブラシ毛を有するブラシを、モータの駆動力により回転駆動させ、回転するブラシ毛を絡ませることによって草を刈る草刈機が開示されている。この草刈機によれば、刈刃としてブラシ毛を使用し、刈取対象となる草の上方から鉛直方向に接触させるため、石の跳ね上げや刈刃の欠損を起こすことがなく、草を地際付近から除去する際の安全性を向上させることができるものとなっている。
【先行技術文献】
【特許文献】
【０００４】
【特許文献１】特開２００７−２８９５４
【発明の概要】
【発明が解決しようとする課題】
【０００５】
しかしながら、上記ブラシ毛を使用した草刈機によれば、茎が硬かったり根の張りが強固な草では、葉が刈り取られるだけで、繁茂力に優れた草の場合、残された茎が再び繁茂するという問題があった。特に、コンクリート、ブロック、タイルなどで表面仕上げされている道路や歩道などの構造体の目地に生える草は、繁茂力に優れたものが多いため、除草作業の頻度が多くなるという問題があった。また、刈残しがあると、景観を大きく損ねることになる。
【０００６】
また、表面仕上げされた構造体の場合、図５に示すような、水平部２１の縁に沿って垂直方向に立ち上がる壁部２２を設けたものも多いが、上記草刈機のブラシ毛では水平部２１と壁部２２が交差する隅角部分に繁茂する草２３に絡ませることは難しいため、壁部が設けられた構造体の隅角部の除草作業には適用できないという問題があった。
【０００７】
そこで、本考案は、表面仕上げされている構造体の水平部及び隅角部の目地に生える草を、地際付近から安全にかつ効率的に取り除くことができる目地用草刈機を提供することを目的とする。
【課題を解決するための手段】
【０００８】
本発明に係る目地用草刈機は、金属製線材を複数撚って形成した棒材の複数が、基材の取付面に、前記取付面の法線に対し傾斜した起立状態で配置され、前記基材側から前記棒材の端部側へ向って拡径するブラシ部を備える。そして、前記ブラシ部を前記基材が上側に配置される状態で水平支持し、鉛直方向を回転軸の軸心方向として回転させる。
【０００９】
前記金属製線材の直径は０．５〜１．０ｍｍ、前記棒材の直径は１０〜２０ｍｍで長さは６０〜８０ｍｍであることが好ましい。
【００１０】
前記ブラシ部は、前記基材側の直径が６５ｍｍ、前記棒材の端部側の直径が１２０ｍｍであることが好ましい。
【発明の効果】
【００１１】
本発明によれば、ブラシ部を構成する、金属製線材を複数撚って形成した棒材は、草の茎よりも高い剛性を有するものとなるため、ブラシ部の拡径された棒材の端部側を使用して、取り除く対象となる草の根元を切断し、更に、構造体上に残された茎をすりつぶすようにして取り除くことができる。また、棒材の端部側が最も突出した形状をなすため壁部が設けられた構造体の隅角部に入れ込むことができる。取り除く対象となる草が構造体の水平部と壁部が交差する隅角部に繁茂している場合であっても、棒材の端部側及び側面側を接触させることにより、これを切断し、すりつぶすことができる。更に、棒材が基材に対し起立状態で配置され、対象となる草に上方から接触するため、地面の石に接触しても、従来の回転刃を有する草刈機のように水平方向に強く弾き飛ばすことがない。従って、表面仕上げされている構造体の水平部及び隅角部の目地に生える草を、地際付近から安全にかつ効率的に取り除くことができる。
【００１２】
なお、金属製線材は作業とともに摩耗するため、本発明のブラシ部は取り換えが必要となる。しかしながら、取り換えが頻繁に発生することは、作業効率の悪化を招く。そこで、取り換えの頻度を減らすために、金属製線材の直径、棒材の直径及び長さはできるだけ大きくすることが好ましいといえる。ところが、棒材の長さ及び棒材の端部側の直径を大きくすると、作業に伴う摩耗が進んだ時に、振動が発生しやすくなる。そして、振動の発生は作業者への負担となり、作業効率の低下を招く。そこで、前記金属製線材の直径は０．５〜１．０ｍｍ、前記棒材の直径は１０〜２０ｍｍで長さは６０〜８０ｍｍであることが好ましい。この場合、従来の草刈機の刃と同程度の交換頻度、すなわち、連続使用した場合において2日に１回程度の交換頻度に抑えることができる。
【図面の簡単な説明】
【００１３】
【図１】本発明に係る目地用草刈機の実施例の概観を示す斜視図である。
【図２】実施例１のブラシ部の正面視を示す写真である。
【図３】比較例１のブラシ部の上方斜視を示す写真である。
【図４】比較例２のブラシ部の平面視を示す写真である。
【図５】壁部が設けられた構造体の隅角部に繁茂する草の状態を示す写真である。
【発明を実施するための形態】
【００１４】
図１を参照しながら、本発明に係る目地用草刈機の実施例について説明する。
この目地用草刈機１０は、作業者が自分の肩に引っ掛けて除草作業を行なうもので、長尺の棒材から成る支持部２と、支持部２の先端に固定されるブラシ部１とで構成されている。支持部２の基端は把持に適した太さの把持部３とされ、更に基端近傍には支持部２を構成する棒材から分岐して延びる操作用のハンドル４が取り付けられている。また、把持部３には図示しないベルトが取り付けられており、作業者はそのベルトを自分の肩に引っ掛け、ハンドル４と把持部３、或はハンドル４のみを把持した状態で除草作業を行なう。
【００１５】
ブラシ部１は、金属製線材を複数撚って形成した複数の棒材１１と、円柱状の基材１２とで構成されている。棒材１１は、基材１２の一底面に、その底面の法線に対し傾斜した起立状態で配置され、ブラシ部１の直径は、基材１２側から棒材１１の端部側へ向って広がっており、外観が円錐台をなすものとなっている。
【００１６】
ブラシ部１は、支持部２の先端に設けられた駆動部５に対し、その回転軸が駆動部５の回転軸と連結する状態で固定されている。そして、使用時には、基材１２が上側に配置される状態で水平支持されるものとなっている。また、ハンドル４には、図示しない駆動部５の制御スイッチが取り付けられており、その制御スイッチを介して駆動部５を操作することで、鉛直方向を回転軸の軸心方向としてブラシ部１を回転させることができるものとなっている。なお、駆動部５は公知のモータであるため、その説明は省略する。
【実施例】
【００１７】
「実施例１」
直径０．５ｍｍのスチールワイヤを撚って形成した棒材２０本を、直径６５ｍｍ、高さ２５ｍｍの円柱状基材の底面に取り付けて形成したブラシ部を使用し、除草作業を行なった。なお、棒材の端部側直径は１２０ｍｍとし、基材上面から棒材の端部側底面までの高さは７０ｍｍとした。
「比較例１」
実施例１における棒材の代わりに、直径０．３ｍｍのスチールワイヤを円柱状基材の底面に取り付けて形成したブラシ部を使用し、除草作業を行なった。なお、スチールワイヤーは、取付面の法線と平行する起立状態で配置し、基材から下の部分を直径７５ｍｍ、高さ９．５ｍｍの円柱状とした。
「比較例２」
実施例１における棒材の取り付け位置を、円柱状基材の周壁面とし、２０本の棒材を周方向に並べて配置したものをブラシ部として使用した。
【００１８】
実施例１は、壁部の設けられた構造体の水平部及び隅角部に繁茂する草を、安全に刈り取ることができたのに対し、比較例１では、スチールワイヤが破断し、飛散してしまった。すなわち、金属製線材を撚らずにそのまま基材に配置すると、構造体や地面の石に接触した場合に生じる力に対する強度が不十分となるため、ブラシ部は、金属製線材を複数撚って形成した棒材で構成する必要があることが確認された。
【００１９】
また、比較例２では、不均衡な磨耗が生じた場合、振動が発生してしまった。すなわち、安全な操作を行なうためには、棒材の取り付け方向を回転軸方向に近づける必要があることが確認された。
【符号の説明】
【００２０】
１    ブラシ部
２    支持部
３    把持部
４    ハンドル
５    駆動部
１０  目地用草刈機
１１  棒材
１２  基材
２１  水平部
２２  壁部
２３  草
【図１】
2012191856.tif 000003
【図２】
2012191856.tif 000004
【図３】
2012191856.tif 000005
【図４】
2012191856.tif 000006
【図５】
2012191856.tif 000007